(57)【要約】本発明により、現在のマルチアンプシステムに係る問題を回避しつつ、マルチアンプシステムを実施できる。一の増幅器は、複数の他の増幅器（１１、１２）（スレーブ）の設定を制御する「マスター」（１０）である。調整が必要な場合は、マスター（１０）のみを調整すれば足りる。本発明の増幅器は、複数のモードで動作するように構成される。一の構成では、増幅器は「マスターモード」に設定される。他の構成では、増幅器は「スレーブモード」に設定される。更に他の構成では、増幅器は「逆スレーブモード」に設定される。
2008521355.tif 000002
【特許請求の範囲】
【請求項１】
第１信号処理ブロック及び第１同期ブロックを有する第１増幅器と、
第２信号処理ブロック及び第２同期ブロックを有する第２増幅器と、
前記第１及び第２増幅器の間の接続部であって、音声信号が前記第１増幅器に入力として供給され、前記第１信号処理ブロック、前記接続部、及び前記第２増幅器の第２同期ブロックを介して出力部まで伝送される接続部と、
を備えることを特徴とする装置。
【請求項２】
前記第２同期ブロックは、スイッチとインバータを含み、前記スイッチが第１の位置にある場合に、前記音声信号は前記第２信号処理ブロック内で反転されることを特徴とする請求項１に記載の装置。
【請求項３】
前記第２同期ブロックは、スイッチとインバータを含み、前記スイッチが第２の位置にある場合に、前記音声信号は、前記第２信号処理ブロック内の前記インバータを迂回することを特徴とする請求項１に記載の装置。
【請求項４】
前記第２同期ブロックは、前記第２増幅器で前記音声信号を更に調整するトリマーを含むことを特徴とする請求項１に記載の装置。
【請求項５】
第１及び第２音声再生装置を更に備え、前記第１及び第２増幅器は、前記音声信号を第１及び第２音声再生装置に伝送する第１及び第２出力部を含むことを特徴とする請求項１に記載の装置。
【請求項６】
スレーブ入力手段と、
マスター出力手段と、
前記スレーブ入力手段及び前記マスター出力手段の間に位置し、処理された音声信号を受信し、且つ前記処理された音声信号を一又は複数のモードで出力する同期手段と、
を備えることを特徴とする増幅器同期装置。
【請求項７】
スイッチを更に備え、該スイッチが第１の位置にある場合に、前記処理された音声信号は第１モードで扱われることを特徴とする請求項６に記載の増幅器同期装置。
【請求項８】
スイッチを更に備え、該スイッチが第２の位置にある場合に、前記処理された音声信号は第２モードで扱われることを特徴とする請求項６に記載の増幅器同期装置。
【請求項９】
前記スレーブ入力手段及び前記マスター出力手段の間にインバータを更に備え、前記第２モードの前記処理された音声信号は、前記マスター出力手段に出力される前に、前記インバータにより反転されることを特徴とする請求項８に記載の増幅器同期装置。
【請求項１０】
前記スレーブ入力手段及び前記マスター出力手段の間にインバータを更に備え、前記第１モードの前記処理された音声信号は、前記インバータを迂回し、前記マスター出力手段に出力されることを特徴とする請求項７に記載の増幅器同期装置。
【請求項１１】
複数の増幅器を接続する方法であって、
第１信号処理ブロック及び第１同期ブロックを有する第１増幅器を第１モードで提供する提供工程と、
第２信号処理ブロック及び第２同期ブロックを有する第２増幅器を第２モードで提供する提供工程と、
前記第１及び第２増幅器を接続する工程であって、音声信号が前記第１増幅器に入力として供給され、前記第１信号処理ブロック、接続部、及び前記第２増幅器の第２同期ブロックを介して出力部まで伝送される接続工程と、
を備えることを特徴とする方法。
【請求項１２】
前記第２同期ブロックは、スイッチとインバータを含み、
前記スイッチが第１の位置にある場合に、前記音声信号を前記第２信号処理ブロック内で反転する反転工程を更に備えることを特徴とする請求項１１に記載の方法。
【請求項１３】
前記第２同期ブロックは、スイッチとインバータを含み、
前記スイッチが第２の位置にある場合に、前記音声信号とともに前記第２信号処理ブロック内の前記インバータを迂回する迂回工程を更に備えることを特徴とする請求項１１に記載の方法。
【請求項１４】
前記第２同期ブロックに、前記第２増幅器で前記音声信号を更に調整するトリマーを提供する提供工程を更に備えることを特徴とする請求項１１に記載の方法。
【請求項１５】
第１及び第２音声再生装置を含み、
前記第１及び第２増幅器の第１及び第２出力部から第１及び第２音声再生装置に前記音声信号を夫々伝送する伝送工程を更に備えることを特徴とする請求項１１に記載の方法。
【発明の詳細な説明】
【技術分野】
【０００１】
（関連出願の相互参照）
本願は、参照することにより本願に組み込まれる。また、マルチアンプ同期システムという題名で２００４年１１月１８日に出願された米国仮出願６０／５２２，８９３の利益を主張する。
【０００２】
（著作権保護の対象物の通知）
本特許文献内の対象物は、全て、米国及びその他の国々における著作権法の下で著作権保護を受ける。本特許文献の対象物は、一部、米国及びその他の国々における回路配置利用権登録法の下で保護を受ける。著作権及び回路配置利用権の権利者は、米国特許商標局のファイル又は記録に掲載される本特許文献又は本特許の開示のいずれかによる複製には異議がないが、その他の場合には、著作権及び回路配置利用権等の全てを保有する。
【０００３】
本発明は、オーディオアンプに関し、より詳細には、マルチアンプシステムの制御に関する。
【背景技術】
【０００４】
複数の増幅器を、カスケード（縦列）又はデイジーチェーン（直列）状に接続することは一般的である。現在のマルチアンプカスケードは、二つの手法のうちの一つの手法で行われてよい。例えば、４つの増幅器を備えるシステムでは、非処理音声入力信号を４つの信号に分離し、各信号を４つの増幅器の全てにおいて独立して扱う。或いは、増幅器がパススルーを備える場合は、４つの増幅器を備えるシステムはデイジーチェーン状に連結され、また非処理信号はチェーン内の１つの増幅器に入力され、その増幅器から次の増幅器に直接移されるであろう。
【発明の開示】
【発明が解決しようとする課題】
【０００５】
このような配置における一つの問題は、各増幅器がチェーン内で同等であり、独立して作用することである。これは、音声信号に対する調整が必要な場合に、チェーン内の各増幅器が同じように調整される必要があることを意味する。このような配置では、システムの調整及び微調整は、特にデイジーチェーン内に増幅器が多数存在する際に負担になる。
【０００６】
通常、ユーザは、先ず例えば低音ブースト、周波数、音量、ゲイン、クロスオーバ（フィルタ周波数）等を調整することにより、第１増幅器を微調整するであろう。その後、これらと全く同じ調整を、その他の全ての増幅器に対して行うことが必要である。このように多数の増幅器をつなげる場合、いずれの調整も、それがどんなに些細な調整であっても、非常に負担となってしまう。
【０００７】
デイジーチェーン内の増幅器の一つ一つを手動で調整及び微調整をしなければならないことは、その調整及び微調整のプロセスに要する時間がかかるために望ましくない。
【課題を解決するための手段】
【０００８】
本発明により、現在のマルチアンプシステムに係る問題を回避しつつ、マルチアンプシステムを実施できる。一の増幅器は、複数の他の増幅器（スレーブ）の設定を制御する「マスター」である。調整が必要な場合は、マスターのみを調整すれば足りる。本発明の増幅器は、複数のモードで動作するように構成される。一の構成では、増幅器は「マスターモード」に設定される。他の構成では、増幅器は「スレーブモード」に設定される。更に他の構成では、増幅器は「逆スレーブモード」に設定される。
【０００９】
本発明の一の実施形態によれば、カスケード内の各増幅器は、信号処理ブロックと増幅器同期ブロックとを備える。信号処理ブロックが用いられるか又は増幅器同期ブロックが用いられるかに応じて、任意に与えられた増幅器をマスター又はスレーブとして構成及び／または再構成することができる。
【００１０】
音声信号は、マスターとして構成された増幅器の信号処理ブロックを介して伝送され、その後、スレーブとして構成された一又は複数の増幅器に出力される。これらのスレーブは、マスターの出力を、入力として完全に処理された音声信号の形態で受信する。音声信号は、スレーブの信号処理ブロックを迂回し、その同期ブロックを通過する。同期ブロックは、内部スイッチの位置に応じて複数モードのうちの一のモードで音声信号を扱い、その信号をカスケード内の次のスレーブに伝送する。この処理は繰り返される。
【００１１】
このように、マスターに設定された増幅器のみが、その信号処理ブロックを介して音声信号を伝送する。マスターを介して伝送される信号を調整する場合は、変調された音声信号が、スレーブに設定された全増幅器に伝播される。これにより、スレーブを調整する必要がなくなる。
【発明を実施するための最良の形態】
【００１２】
本発明により、現在のマルチアンプシステムに係る問題を回避しつつ、マルチアンプシステムを実施できる。一の増幅器は、複数の他の増幅器（スレーブ）の設定を制御する「マスター」である。調整が必要な場合は、マスターのみを調整すれば足りる。本発明の増幅器は、複数のモードで動作するように構成される。一の構成では、増幅器は「マスターモード」に設定される。他の構成では、増幅器は「スレーブモード」に設定される。更に他の構成では、増幅器は「逆スレーブモード」に設定される。
【００１３】
本発明の一の実施例によれば、カスケード内の各増幅器は、信号処理ブロックと増幅器同期ブロックとを備える。信号処理ブロックが用いられるか又は増幅器同期ブロックが用いられるかに応じて、任意に与えられた増幅器を、マスター又はスレーブとして構成及び／または再構成することができる。
【００１４】
音声信号は、マスターとして構成された増幅器の信号処理ブロックを介して伝送され、その後、スレーブとして構成された一又は複数の増幅器に出力される。これらのスレーブは、マスターの出力を、入力として完全に処理された音声信号の形態で受信する。音声信号は、スレーブの信号処理ブロックを迂回して、その同期ブロックを通過する。同期ブロックは、内部スイッチの位置に応じて複数モードのうちの一のモードで音声信号を扱い、その信号をカスケード内の次のスレーブに伝送する。この処理は繰り返される。
【００１５】
このように、マスターに設定された増幅器のみが、その信号処理ブロックを介して音声信号を伝送する。マスターを介して伝送される信号を調整する場合は、変調された音声信号が、スレーブに設定された全増幅器に伝播される。これにより、スレーブを調整する必要がなくなる。
【００１６】
本発明は、例示のみを目的とする、以下の図面を参照することにより、更に十分に理解されるであろう。
【００１７】
図１は、本発明の一の実施例を示すシステム図である。アンプ１０、１１、及び１２は、信号処理ブロック３０、８０、及び８１と同期ブロック１、２、及び３とを備える。アンプ１０、１１、及び１２は、デイジーチェーン式カスケードで接続されるが、当然のことながら、３つよりも多い増幅器がこのような配置で構成されてもよい。図１は、簡単のために３つの増幅器に限定されている。
【００１８】
図１において、信号源５は、アンプ１０の左入力部及び右入力部に入力を行う。信号は、信号処理ブロック３０を介して伝送され、その後、スピーカ等の音声再生装置４０に伝送される。アンプ１０はマスターとして設定されるので同期ブロック１は迂回される。信号源５は、アンプ１０のマスター出力部５０を介して、アンプ１１のスレーブ入力部６０にも通じている。信号５は、複数モードのうちの一のモードで扱われる同期ブロック２を介して伝送され、その後、アンプ１１のマスター出力部６１に伝送される。ここで、アンプ１１はスレーブとして設定されるので信号処理ブロック８０は迂回される。
【００１９】
信号５は、音声再生装置９０にも通じている。一旦マスター出力部６１から抜け出ると、信号はアンプ１２のスレーブ入力部７０に伝送される。信号５は、信号処理ブロック８１を迂回し、複数モードのうちの一のモードで扱われる同期ブロック３を介して伝送され、その後、音声再生装置９１に伝送される。信号５は、必要であれば、マスター出力部７１を介して複数の付加的スレーブアンプ９９にも送られる。
【００２０】
図２は、本発明の他の実施例を示すシステム図である。図２のパワーアンプは、正の出力端子が有効端子（所謂、アクティブ端子）であり、且つ負の端子が接地される任意のシングルエンドクラスのオーディオアンプである。左音声信号１１０及び右音声信号１１１は、例えばヘッドユニット等のソース（源）が起源である。図２に示す増幅器を構成できる３つの動作モードがある。即ち、マスターモード、逆スレーブモード、及びスレーブモードである。
【００２１】
（マスターモード）
「マスターモード」では、アンプ１９９は、デイジーチェーン内の第１又はマスターアンプである。このアンプ１９９がマスターになると決定される際には、そのように構成される。一般に、マスターアンプは、音声信号を入力として受信し、それらの信号を同期ブロックは迂回しつつ信号処理ブロックを介して伝送させ、音声信号が完全に処理された後に、それらの信号を、デイジーチェーン内の通常スレーブとして指定される次の増幅器に出力するように構成されるであろう。
【００２２】
より詳細には、ソース（源）は、マスターアンプの左音声入力部１１０及び右音声入力部１１１のみに音声信号を送信するであろう。そして、その信号は、信号処理ブロック１２０を介して信号経路１３０に進むであろう。ここで、処理された音声は、アンプ１９９内部のパワーアンプ１００に入力される準備がなされる。
【００２３】
本実施例における信号処理ブロック１２０は、音声入力部１１０及び１１１を受信し、それをアイソレータ１１２及び１１３を介して加算ブロック１１４に移す。そしてローパスブロック１１５と、亜音速スイッチ１１７が第１の位置にある場合は亜音速ブロック（亜音速フィルタ）１１６とを介して、またスイッチ１１７が第２の位置にある場合は亜音速ブロック１１６を迂回して、ゲイン制御部１１８に移され、信号処理ブロック１２０から出力される。
【００２４】
信号処理ブロック１２０の本実施例は、例示のみを目的とする。信号処理ブロック１２０は、増幅器を構成するために、当業者に周知のその他の要素又は機能を含んでよい。例えば、ローパスフィルタ（ＬＰＦ）、ゲイン、低音ブースト等も用いてよい。
【００２５】
信号は、信号経路１３０に沿って信号処理ブロック１２０を出た後、モードスイッチ１４０を介して送られる。モードスイッチ１４０は、本実施例では三位スイッチであり、ここに記載された３つのモードで動作できる。マスターモードでは、信号はスイッチ１４０を介して信号経路１５０に送られる。これは、パワーアンプブロック１００及びバッファブロック１７０に入力を行う。バッファブロック１７０は、信号をマスター出力接続部１６０に入力する。マスター出力接続部１６０は、デイジーチェーン内の次の増幅器であるスレーブアンプに信号を送信するであろう。本発明のスイッチ１４０の構成において、同期ブロック１２１は迂回されることに留意されたい。
【００２６】
（逆スレーブモード）
「逆スレーブモード」では、アンプ１９９はマスターに対する一つのスレーブとして構成されるであろう。全ての増幅器は、スレーブかマスターかにかかわらず、（必要とされてはいないが）同じ構成要素を備えることが可能であるので、図２に示した同じアンプ１９９について説明する。しかし、当然のことながら、逆スレーブモードにおける図２の説明は、マスターモードに対して説明した増幅器とは異なる物理増幅器について記述している可能性がある。デイジーチェーン内の本増幅器を逆スレーブモードにする必要があると決定されると、そのように構成される。この場合、増幅器はマスターに対する一のスレーブとなる。一般に、ブリッジ接続負荷（ＢＴＬ）構成とも称されるマルチアンプのブリッジ構成では、スレーブは逆スレーブモードであるべきである。
【００２７】
ＢＴＬ構成のスピーカシステムは、二点間の電位が求められる。マルチアンプがスピーカに接続される場合、例えば、第１増幅器に対するスピーカの正の端子と第２増幅器に対するスピーカの負の端子とにおいて、信号は相殺してゼロになり、動作及び音声の伝達を行うための電位はスピーカには得られないであろう。このような場合、スピーカが動作するように、複数の信号のうちの一の信号は反転されて位相がずれることが好ましい。このような接続構成では、スレーブアンプは逆スレーブモードに設定されるべきである。
【００２８】
より詳細には、スレーブ音声出力部の信号は、マスター音声出力接続部１６０と比べてブロック１８５で反転される。この反転関係により、増幅器はスピーカをＢＴＬ構成で駆動できる。信号処理ブロック１２０は、逆スレーブモードの動作中、迂回される。これにより、マスターアンプが信号処理を実行できる。また、同期ブロック１２１のみが用いられる。
【００２９】
音源は、ブロック１８１で接地絶縁された「スレーブ入力」接続部１８０に入力され、その後信号経路１９２に転送される。信号経路１９２は、トリマー制御部１９３に入力を行い、これにより必要であれば微調整が行われる。トリマー制御部１９３は、調整された信号を信号経路１９４に入力する。その信号は、その後ブロック１８５で反転され、信号経路１９６に転送される。信号経路１９６は、モードスイッチ１４０を介して、パワーアンプブロック１００及びバッファブロック１７０に入力を行う信号経路１５０に通じている。バッファブロック１７０は、信号をマスター出力接続部１６０に入力する。マスター出力接続部１６０は、デイジーチェーン内の次の増幅器である次のスレーブアンプに信号を送信するであろう。
【００３０】
（スレーブモード）
「スレーブモード」では、アンプ１９９はマスターに対する一のスレーブである。スレーブモードについての説明は、再び図２に関するが、概念的にはここで図２を参照して説明するアンプ１９９は、マスターモード又は逆スレーブモードに対して説明した増幅器とは異なる増幅器であってよいことに留意されたい。全ての増幅器は、スレーブかマスターかにかかわらず、同一の機能性を備えることが可能であるので、マスター及びスレーブアンプは、一つはマスターとして、その他はスレーブとして異なった方法で動作するように設定された同じ装置でもよい。或いは、マスターとして構成された増幅器が、スレーブモードのうちの一のモードで動作するように再構成することもできる。
【００３１】
一の増幅器がデイジーチェーン内の一のスレーブである場合、この増幅器をスレーブモードに設定すべきであり、信号を反転する必要はない。このような場合の一つは、マルチアンプが非ブリッジ構成で構成される場合である。非ブリッジ構成では、各増幅器はそれ自体の音声出力装置（スピーカ）を制御する。このような場合、仮に音声が反転されると、一のスピーカからのその音声は別のスピーカからの音声と相殺するであろう。これは望ましくない。
【００３２】
従って、非ブリッジ構成では、位相のそろった各スピーカ出力音声を有することが望ましい。これは、一般に、現在のモードの一のスレーブが、マスター又は先のスレーブから完全に処理された音声信号を受信し、そのユニット内のいずれの信号処理ブロックも迂回し、そのユニット内の同期ブロックを用いることを意味する。しかしながら、このような方法では、信号は、バッファリング及び増幅される前に反転されない。
【００３３】
詳細には、スレーブ音声出力部の信号は、マスター音声出力接続部１６０と比べて非反転である。この非反転関係により、増幅器はマルチスピーカシステムを同相で駆動できる。信号処理ブロック１２０は、スレーブモードの動作中迂回される。これにより、マスターアンプが信号処理を実行できる。また、同期ブロック１２１のみが用いられる。音源は、ブロック１８１で接地絶縁されたスレーブ入力接続部１８０に入力され、その後信号経路１９２に転送される。信号経路１９２は、トリマー制御部１９３に入力を行い、これにより必要であれば微調整が行われる。
【００３４】
トリマー制御部１９３は調整された信号を信号経路１９８に入力する。信号経路１９８は、モードスイッチ１４０を介して、パワーアンプブロック１００及びバッファブロック１７０に入力を行う信号経路１５０に通じている。バッファブロック１７０は、信号をマスター出力接続部１６０に入力する。マスター出力接続部１６０は、デイジーチェーン内の次の増幅器である次のスレーブアンプに信号を送信する。
【００３５】
図３は、本発明の一の実施例に係る逆スレーブモードのマルチアンプシステムの例である。信号源２００は、左入力部２１０及び右入力部２１１をマスターアンプ２２０に対して備える。正の端子２３０は、音声再生装置２４０に通じている。一方、負の端子２３１はスレーブアンプ２６０の負の端子２５０に通じている。スレーブアンプ２６０の正の端子２５１は、音声装置２４０にも通じている。マスターアンプ２２０のマスター出力部２７０は、スレーブアンプ２６０のスレーブ入力部２８０に接続される。当業者には当然のことながら、マスターアンプ２２０及びスレーブアンプ２６０に加えて、図３のデイジーチェーンにより多くの増幅器が加えられてもよいことに留意されたい。
【００３６】
図４は、本発明の一の実施例に係るスレーブモードのマルチアンプシステムの例である。信号源３００は、左入力部３１０及び右入力部３１１をマスターアンプ３２０に対して備える。正の端子３３０及び負の端子３３１は、音声再生装置３４０に通じている。マスターアンプ３２０のマスター出力部３７０は、スレーブアンプ３６０のスレーブ入力部３５０に接続される。一方、スレーブアンプ３６０の正の端子３３２及び負の端子３３３は、音声再生装置３４１に接続される。
【００３７】
スレーブアンプ３６０のマスター出力部３７１は、スレーブアンプ３８０のスレーブ入力部３５１に接続される。一方、スレーブアンプ３８０の正の端子３３４及び負の端子３３５は、音声再生装置３４２に接続される。スレーブアンプ３８０のマスター出力部３７２は、スレーブアンプ３９０のスレーブ入力部３５２に接続される。一方、スレーブアンプ３５０の正の端子３３６及び負の端子３３７は、音声再生装置３４３に接続される。当業者には当然のことながら、マスターアンプ３２０及びスレーブアンプ３６０、３８０、及び３９０に加えて、図４のデイジーチェーンにより多くの増幅器が加えられてもよいことに留意されたい。
【００３８】
表１は、所望の構成に応じた各種の可能な状態における本発明の増幅器を示している。
【００３９】
【表１】
2008521355.tif 000003
【００４０】
（増幅器調整）
以下の手順は、マスター・スレーブ動作に対する増幅器ゲインの調整方法を示している。マスター・スレーブ動作中、増幅器は図１から図４に示すようなデイジーチェーン構成で接続される。この構成により、スレーブアンプはマスターの設定を複製できる。これにより調整が簡単になる。なぜなら、カスケード内の全ての増幅器を変化させるために、マスターアンプのみが調整されれば足りるからである。例えば、亜音速フィルタを作動させる必要がある場合、マスターアンプの亜音速フィルタのみを変えれば足りる。全スレーブアンプは、マスターの設定に従い、それら自体の設定は無視される。出力信号レベルの釣り合いをとるために、各スレーブアンプに対して、インストール後に一つの初期調整のみを行えば足りる。
【００４１】
各増幅器のゲインは僅かに変化できるので、本発明の一の実施例における各同期増幅器に、ゲイントリマー調整部が組み込まれる。このトリマーは、マスターアンプのゲイン調整とは無関係に、同期増幅器ゲインを正負３ｄＢで変化できる。これにより、全ての増幅器が相互に釣り合いをとることができる。一旦釣り合いがとられると、スレーブアンプに対する調整は不要である。その他の全ての調整は、マスターに対して行われるであろう。
【００４２】
スレーブアンプの初期ゲイン調整を行う方法は二通りである。第１の方法では、各同期増幅器のゲイン制御が、通常の位置に設定される。これにより、ほとんどの用途に対して、出力音量の釣り合いが十分にとられるであろう。ゲインを通常に設定すると、各増幅器の出力電圧はお互いにおいて、１ボルト程度以内である。
【００４３】
初期ゲイン調整を行う第２の方法では、各スレーブアンプのゲイン設定は、通常の位置から外すことが可能であり、よってその出力電圧をマスターの電圧レベルに設定することができる。各スレーブアンプに対してこれが一旦行われると、全ての増幅器は同じ電圧出力を有するであろう。
【００４４】
この調整を適切に行うために、図５に示す順序に従うべきである。図５の例におけるデイジーチェーンは、マスターアンプ４００及び３つのスレーブアンプ４１０、４２０、及び４３０を含む。ゲインは、先ずスレーブアンプ４１０、次にスレーブアンプ４２０、その後スレーブアンプ４３０に対してこの順序で調整されるべきである。
【００４５】
サイン波源は、低出力レベルで用いてセットアップすべきである。セットアップ中に低出力レベルを用いることが重要である。なぜなら、サイン波は、システムに対して短時間で過度のストレスをかけてしまうからである。サイン波により、出力レベルの測定に電圧計を用いることができる。以下は、スレーブゲインを調整するステップである。
１．サイン波を低出力レベルのシステム調整に接続する。
２．電圧計を用いてマスターの出力電圧レベルを測定する。
３．電圧計を用いて、スレーブアンプの出力電圧レベルを測定する。
４．同期増幅器に対してゲイン調整を用いて、スレーブアンプの出力をマスターの出力に合わせる。
５．各スレーブアンプに対して上記に示した適切な順序で繰り返す。
【００４６】
上述の説明は多くの特異性を含むが、これらは本発明の範囲を制限するものと解釈されるべきではなく、本発明における現在の好適な実施例のいくつかを単に例示するものとして解釈されるべきである。従って、本発明の範囲は、添付された特許請求の範囲、並びにその法的同等物から決定されるべきである。
【図面の簡単な説明】
【００４７】
【図１】本発明の一の実施例を示すシステム図である。
【図２】本発明の他の実施例を示すシステム図である。
【図３】本発明の一の実施例に係る逆スレーブモードのマルチアンプシステムを示す図である。
【図４】本発明の一の実施例に係るスレーブモードのマルチアンプシステムを示す図である。
【図５】本発明の一の実施例に係るマルチアンプシステムにおける初期ゲイン調整の順序を示す図である。
【符号の説明】
【００４８】
１、２、３  同期ブロック
１０、１１、１２  増幅器
２０  左入力部
２１  右入力部
４０、９０、９１  音声再生装置
５０、６１、７１  マスター出力部
５０、６０  スレーブ入力部
９９  付加的スレーブアンプ
【図１】
2008521355.tif 000004
【図２】
2008521355.tif 000005
【図３】
2008521355.tif 000006
【図４】
2008521355.tif 000007
【図５】
2008521355.tif 000008
【国際調査報告】
2008521355.tif 000009
2008521355.tif 000010